(57)【要約】【課題】多灯撮影においてモニタ発光によって得られる光量にノイズが与える影響を小さくすることができる発光制御装置を提供する。【解決手段】本発明の発光制御装置は、第１予備発光と第２予備発光とを行うリモート照明装置４０及びリモート照明装置と通信するマスタ照明装置１０２によって多灯撮影を行うカメラ１０１を制御する発光制御装置であって、第１予備発光及び第２予備発光に先立って、マスタ照明装置を第３予備発光させるマスタ照明装置照明制御部１４、第３予備発光の反射光を含む第３反射光に基づいて第１予備発光の反射光を含む第１反射光、第２予備発光の反射光を含む第２反射光のいずれかを選択する反射光選択部１０、第１反射光または第２反射光を基準にして、カメラが撮影を行う際にリモート照明装置によって発光される照明光の光量を調整する照明光調整部１５を備えることを特徴とする。【選択図】図７
2014232227.tif 000002
【特許請求の範囲】
【請求項１】
第１予備発光及び該第１予備発光よりも光量が大きい第２予備発光を行うリモート照明装置と、トリガ光を発光し、前記リモート照明装置と通信するマスタ照明装置と、によって多灯撮影をするカメラを制御する発光制御装置であって、
前記第１予備発光及び前記第２予備発光に先立って、前記マスタ照明装置を第３予備発光させるマスタ照明装置照明制御部と、
前記第３予備発光の反射光を含む第３反射光に基づいて、前記第１予備発光の反射光を含む第１反射光、前記第２予備発光の反射光を含む第２反射光のいずれかを選択する反射光選択部と、
前記反射光選択部によって選択された前記第１反射光または前記第２反射光を基準にして、前記カメラが撮影を行う際に前記リモート照明装置によって発光される照明光の光量を調整する照明光調整部と、
を備えることを特徴とする発光制御装置。
【請求項２】
請求項１に記載の発光制御装置であって、
前記反射光選択部は、
前記第３反射光が予め設定されている第１閾値よりも大きい場合、前記第２反射光が選択される可能性を高めることを特徴とする発光制御装置。
【請求項３】
請求項２に記載の発光制御装置であって、
前記反射光選択部は、
前記第３反射光が前記第１閾値以下である場合、
前記第１反射光が予め設定されている第２閾値以下であるときには前記第２反射光を選択し、前記第１反射光が前記第２閾値よりも大きいときには前記第１反射光を選択し、
前記第３反射光が前記第１閾値よりも大きいとき、前記第１反射光の大きさによらず、前記第２反射光を選択することを特徴とする発光制御装置。
【請求項４】
請求項２に記載の発光制御装置であって、
前記反射光選択部は、
前記第３反射光が前記第１閾値以下である場合、
前記第１反射光が予め設定されている第２閾値以下であるときには前記第２反射光を選択し、前記第１反射光が前記第２閾値よりも大きいときには前記第１予備発光を選択し、
前記第３反射光が前記第１閾値よりも大きい場合、
前記第１反射光が前記第２閾値よりも大きい第３閾値以下であるときには前記第２反射光を選択し、前記第１反射光が前記第３閾値よりも大きいときには前記第１反射光を選択することを特徴とする発光制御装置。
【請求項５】
第１予備発光と、該第１予備発光よりも光量が大きい第２予備発光と、を行うリモート照明装置と、トリガ光を発光し、前記リモート照明装置と通信するマスタ照明装置と、によって多灯撮影を行うカメラにおいて実行される発光制御プログラムであって、
コンピュータに、
前記第１予備発光及び前記第２予備発光に先立って、前記マスタ照明装置を第３予備発光させるマスタ照明装置照明制御機能と、
前記第３予備発光の反射光を含む第３反射光に基づいて、前記第１予備発光の反射光を含む第１反射光、前記第２予備発光の反射光を含む第２反射光のいずれかを選択する予備発光選択機能と、
前記予備発光選択機能によって選択された前記第１反射光または前記第２反射光を基準にして、前記カメラが撮影を行う際に前記リモート照明装置によって発光される照明光の光量を調整する照明光調整機能と、
を実行させることを特徴とする多灯撮影の制御プログラム。
【発明の詳細な説明】
【技術分野】
【０００１】
本発明は、発光制御装置、発光制御プログラムに関するものである。
【背景技術】
【０００２】
現在、被写体の撮影に複数の照明装置を使う技術がある。このような撮影の手法は、多灯ライティング等とも呼ばれており、本明細書では、以降、「多灯撮影」と記すものとする。近年では、コンパクトカメラに外部照明装置を装着するホットシューも提供されており、コンパクトカメラを使って多灯撮影を行うことも行われている。多灯撮影では、撮影に先立って照明装置の撮影時の光量（以下、「照明光量」と記す）が調整される。
【０００３】
多灯撮影に使用される照明装置には、カメラの本体に取り付けられるマスタ照明装置と、マスタ照明装置と通信するリモート照明装置とがある。特許文献１に記載された照明光量の調整では、マスタ照明装置あるいはリモート照明装置を予備発光（以下、「モニタ発光」と記す）させる。そして、モニタ発光の反射光量をカメラのＣＣＤを使って測光し、測光された光量に基づいてマスタ照明装置あるいはリモート照明装置の撮影時の発光（以下、「本発光と記す」）の光量を決定している。
【先行技術文献】
【特許文献】
【０００４】
【特許文献１】特開２０１１−１２８６４４号公報
【発明の概要】
【発明が解決しようとする課題】
【０００５】
しかし、上記した特許文献１に記載の発明では、マスタ照明装置、リモート照明装置、被写体の位置関係等により、モニタ発光の反射光量のノイズ成分が大きくなり、本発光時の適正な光量が決定できなくなる可能性がある。
本発明の課題は、照明光を用いた好適な撮影制御が可能な発光制御装置、発光制御プログラムを提供することである。
【課題を解決するための手段】
【０００６】
本発明は、以下のような解決手段により前記課題を解決する。
請求項１に記載の発明は、第１予備発光及び該第１予備発光よりも光量が大きい第２予備発光を行うリモート照明装置と、トリガ光を発光し、前記リモート照明装置と通信するマスタ照明装置と、によって多灯撮影をするカメラを制御する発光制御装置であって、前記第１予備発光及び前記第２予備発光に先立って、前記マスタ照明装置を第３予備発光させるマスタ照明装置照明制御部と、前記第３予備発光の反射光を含む第３反射光に基づいて、前記第１予備発光の反射光を含む第１反射光、前記第２予備発光の反射光を含む第２反射光のいずれかを選択する反射光選択部と、前記反射光選択部によって選択された前記第１反射光または前記第２反射光を基準にして、前記カメラが撮影を行う際に前記リモート照明装置によって発光される照明光の光量を調整する照明光調整部と、を備えることを特徴とする発光制御装置である。
請求項２に記載の発明は、請求項１に記載の発光制御装置であって、前記反射光選択部が、前記第３反射光が予め設定されている第１閾値よりも大きい場合、前記第２反射光が選択される可能性を高めることを特徴とする発光制御装置である。
請求項３記載の発明は、請求項２に記載の発光制御装置であって、前記反射光選択部が、前記第３反射光が前記第１閾値以下である場合、前記第１反射光が予め設定されている第２閾値以下であるときには前記第２反射光を選択し、前記第１反射光が前記第２閾値よりも大きいときには前記第１反射光を選択し、前記第３反射光が前記第１閾値よりも大きいとき、前記第１反射光の大きさによらず、前記第２反射光を選択することを特徴とする発光制御装置である。
請求項４記載の発明は、請求項２に記載の発光制御装置であって、前記反射光選択部が、前記第３反射光が前記第１閾値以下である場合、前記第１反射光が予め設定されている第２閾値以下であるときには前記第２反射光を選択し、前記第１反射光が前記第２閾値よりも大きいときには前記第１予備発光を選択し、前記第３反射光が前記第１閾値よりも大きい場合、前記第１反射光が前記第２閾値よりも大きい第３閾値以下であるときには前記第２反射光を選択し、前記第１反射光が前記第３閾値よりも大きいときには前記第１反射光を選択することを特徴とする発光制御装置である。
請求項５記載の発明は、第１予備発光と、該第１予備発光よりも光量が大きい第２予備発光と、を行うリモート照明装置と、トリガ光を発光し、前記リモート照明装置と通信するマスタ照明装置と、によって多灯撮影を行うカメラにおいて実行される発光制御プログラムであって、コンピュータに、前記第１予備発光及び前記第２予備発光に先立って、前記マスタ照明装置を第３予備発光させるマスタ照明装置照明制御機能と、前記第３予備発光の反射光を含む第３反射光に基づいて、前記第１予備発光の反射光を含む第１反射光、前記第２予備発光の反射光を含む第２反射光のいずれかを選択する予備発光選択機能と、前記予備発光選択機能によって選択された前記第１反射光または前記第２反射光を基準にして、前記カメラが撮影を行う際に前記リモート照明装置によって発光される照明光の光量を調整する照明光調整機能と、を実行させることを特徴とする多灯撮影の制御プログラムである。
【発明の効果】
【０００７】
本発明によれば、照明光を用いた好適な撮影制御が可能な発光制御装置、発光制御プログラムを提供することができる。
【図面の簡単な説明】
【０００８】
【図１】本発明の一実施形態が適用されるカメラの外観を説明するための斜視図である。
【図２】図１に示したカメラが用いられる多灯撮影のシステムを説明するための図である。
【図３】本発明の一実施形態のモニタ光とトリガパルスとを例示した図である。
【図４】本発明の一実施形態のフォトダイオードが電荷の蓄積を開始するタイミングを示した模式的なタイミングチャートである。
【図５】本発明の一実施形態のトリガパルスが評価値に与える影響を説明するための表である。
【図６】図５に示した「トリガパルスＰ影響小」、「トリガパルスＰ影響大」のモニタ光と、トリガパルスとを説明するための図である。
【図７】本発明の一実施形態の発光制御装置を含むカメラ本体を説明するためのブロック図である。
【図８】本発明の一実施形態の発光制御装置の動作を説明するためのフローチャートである。
【図９】本発明の変形形態の、発光制御装置の動作を説明するためのフローチャートである。
【発明を実施するための形態】
【０００９】
以下、図面等を参照して、本発明の一実施形態の発光制御装置、発光制御プログラムについて説明する。
［全体構成］
図１は、本発明の一実施形態の発光制御装置が適用されるカメラ１の外観を説明するための斜視図である。カメラ１は、カメラ本体１０１と、マスタ照明装置１０２と、を備えている。カメラ本体１０１には、レリーズ（シャッター）ボタン１０３と、撮像光学系３と、が設けられている。本実施形態では、カメラ本体１０１を、レンズ鏡筒が一体となっている、いわゆるコンパクトカメラとする。マスタ照明装置１０２は、図示しないホットシューによってカメラ本体１０１に取り付けられる、外付けの照明装置である。
本実施形態は、このようなカメラ１を多灯撮影に使用し、そのモニタ発光時の光量をノイズによらず正確に検出することを目的とするものである。
【００１０】
［多灯撮影システム］
次に、本実施形態の説明に先立って、カメラ１が適用される多灯撮影システムと、多灯撮影システムにおいてモニタ光に生じるノイズについて説明する。
図２は、カメラ１が用いられる多灯撮影のシステムを説明するための図である。本実施形態では、マスタ照明装置がリモート照明装置に対してワイヤレスでモニタ発光を指示し、リモート照明装置のみがモニタ発光を行う多灯撮影のシステムを例にしている。このような多灯撮影は、被写体周囲の光量が逆光等によって不足している場合ばかりでなく、写真にイメージ通りの陰影を与えたり、被写体の質感を変えたりする場合にも使用される。
【００１１】
図２に示したように、多灯撮影のシステムは、マスタ照明装置１０２と、リモート照明装置４０と、カメラ本体１０１と、を含んでいる。マスタ照明装置１０２は、カメラ本体１０１に取り付けられていて、カメラ本体１０１によって制御されている。マスタ照明装置１０２は、カメラ本体１０１の指示によってリモート照明装置４０にトリガパルスＰを送信することができる。
多灯撮影では、撮影における本発光時、マスタ照明装置１０２、リモート照明装置４０のいずれか、またはその両方が発光する。本発光時に発光された照明光は、被写体Ｓに照射され、被写体Ｓの陰影を調整する。本実施形態は、このような本発光に先立って行われるモニタ発光に適用されるものである。
【００１２】
モニタ発光では、カメラ本体１０１との距離が近い被写体（例えば約０．６ｍよりも近距離の範囲にある被写体）Ｓと遠い被写体（例えば約０．６ｍ以上の範囲にある被写体）Ｓとで適正な光量が異なる。つまり、モニタ発光において、比較的近距離の被写体Ｓに対して強いモニタ光Ｍを照射すると、反射光Ｒが強すぎてカメラ本体１０１が反射光量を正確に測定できない可能性がある。また、比較的遠距離の被写体Ｓに対して弱いモニタ光Ｍを照射すると、モニタ光Ｍが被写体Ｓに届かず、カメラ本体１０１が反射光Ｒの光量を正確に測定できない可能性がある。
【００１３】
以上のことから、本実施形態では、光量が異なる２回のモニタ発光を行っている。２回のモニタ発光のうち、光量が相対的に小さいものを「小発光」、光量が相対的に大きいものを「大発光」と記すものとする。カメラ本体１０１は、マスタ照明装置１０２を介して、リモート照明装置４０に対して小発光、大発光のいずれのモニタ発光を行うかを指示する。マスタ照明装置１０２とリモート照明装置４０とがワイヤレスで通信する場合、この指示は、小発光よりもさらに光量の小さいトリガパルスＰによって行われる。
【００１４】
この際、カメラ本体１０１は、リモート照明装置４０に対してマスタ照明装置１０２から小発光を指示するトリガパルスＰを送信する。リモート照明装置４０は、トリガパルスＰを受信し、小発光のモニタ光Ｍを発光する。モニタ光Ｍは、被写体Ｓによって反射され、反射光Ｒを含む光がカメラ本体１０１によって測光される。本実施形態は、測光された反射光Ｒから被写体に照射されたモニタ光Ｍを間接的に測光するものである。
【００１５】
次に、カメラ本体１０１は、測光された光量が予め設定されている値に満たない場合、リモート照明装置４０に対してマスタ照明装置１０２から大発光を指示するトリガパルスＰを送信する。リモート照明装置４０は、トリガパルスＰを受信し、大発光のモニタ光Ｍを発光する。モニタ光ＭとトリガパルスＰとを、図３に例示する。
【００１６】
次に、上記した構成において発生する、カメラ本体１０１によって測光された光のノイズについて、図４（ａ）、（ｂ）、（ｃ）を使って説明する。なお、このノイズは、カメラ本体１０１がモニタ光Ｍの測光に、ＣＭＯＳセンサを用いた場合に発生するものである。
【００１７】
図４（ａ）は、トリガパルスＰと、トリガパルスＰに基づいてリモート照明装置４０が発光したモニタ光Ｍとを示した図である。図４（ｂ）、（ｃ）は、ＣＭＯＳセンサを構成するフォトダイオードが電荷の蓄積を開始するタイミングを示した模式的なタイミングチャートであって、図４（ｂ）は、トリガパルスＰの発光が完了した後にＣＭＯＳセンサのフォトダイオードに電荷蓄積を開始させた場合を示している。また、図４（ｃ）は、トリガパルスＰの発光が完了する前にＣＭＯＳセンサのフォトダイオードに電荷蓄積を開始させた場合を示している。
【００１８】
図４（ａ）、（ｂ）、（ｃ）のいずれにおいても横軸は時間ｔを示している。図４（ａ）の縦軸はトリガパルスＰ、あるいはモニタ光Ｍの光量である。図４（ｂ）、（ｃ）の縦軸は、ＣＭＯＳセンサに含まれるフォトダイオードのうちの電荷蓄積を開始したフォトダイオードの割合（０〜１）を示している。
【００１９】
図４（ａ）に示したように、カメラ本体１０１からは、大発光、あるいは小発光を指示するトリガパルスＰがリモート照明装置４０に送信される。リモート照明装置４０は、トリガパルスＰを受信し、トリガパルスＰの指示を解釈してモニタ発光を行う。現状の多灯撮影では、トリガパルスＰの発光完了からモニタ発光までの時間ｔ１は、約２ｍｓである。
【００２０】
一方、ＣＭＯＳセンサは、ラインに沿って配列された複数のフォトダイオードを備えている。ＣＭＯＳセンサのフォトダイオードは、ラインごとに異なるタイミングで順次電荷蓄積を開始する。このため、図４（ｂ）に示したように、電荷蓄積を開始したフォトダイオードの数は、時間の経過に伴って増加していく。現状のカメラに使用されるＣＭＯＳセンサの多くは、ＣＭＯＳセンサに含まれるフォトダイオードが電荷蓄積を開始してから全てのフォトダイオードが電荷蓄積を開始するまでの時間ｔ２が２ｍｓ以上となっている。
【００２１】
このため、図４（ｂ）に示したように、トリガパルスＰの発光が完了してからＣＭＯＳセンサが電荷蓄積を開始すると、全てのフォトダイオードが電荷を蓄積可能になる前にモニタ光Ｍが発光される。このような場合、時間ｔ３の間に発光したモニタ光Ｍによって生じた電荷の一部は、ＣＭＯＳセンサに蓄積されない（以下、「けられる」とも記す）ことになる。モニタ光Ｍによって生じた電荷の一部がＣＭＯＳセンサにけられると、カメラ本体１０１は、モニタ光Ｍの光量を実際よりも小さい値として検出する。
【００２２】
上記した点は、図４（ｃ）に示したように、ＣＭＯＳセンサのフォトダイオードの電荷蓄積開始を例えば時間ｔ４遅らせることによって回避することができる。しかし、このようにした場合、トリガパルスＰの発光が完了する前にＣＭＯＳセンサのフォトダイオードの電荷蓄積が開始されるので、トリガパルスＰによる電荷が、時間ｔ５の間にＣＭＯＳセンサの一部のフォトダイオードに蓄積される（以下、「映りこむ」とも記す）。
【００２３】
以上、説明したように、カメラ本体１０１によって測光される光量には、反射光Ｒの光量の他、トリガパルスＰの光量が含まれている。カメラ本体１０１によって測光される光量を、以下、本実施形態では、「評価値」と記す。評価値において、反射光Ｒは本発光の光量を決定するための信号成分（Ｓ）であり、トリガパルスＰはノイズ成分（Ｎ）となる。
【００２４】
評価値にトリガパルスＰによるノイズが含まれると、カメラ本体１０１は、反射光Ｒの光量を実際よりも大きい値として検出し、本発光の照明光量が適正な値よりも小さく設定されてしまう。したがって、図４（ｃ）に示したタイミングでＣＭＯＳセンサが電荷の蓄積を開始すると、本発光時に撮影された写真がアンダー露光になる傾向がある。アンダー露光になる傾向は、ノイズが大きいほど顕著になる。
さらに、トリガパルスＰの光量は、マスタ照明装置１０２の個体差によってばらつきがあることが知られている。このため、トリガパルスＰによって蓄積される電荷の量を予め計算し、カメラによって検出された光量を補正する等の処理は困難である。
【００２５】
次に、多灯撮影システムにおける、マスタ照明装置１０２及びリモート照明装置４０の配置や個数と評価値のＳ／Ｎ比との関係を説明する。
図５は、リモート照明装置４０の、被写体Ｓとの距離及び台数と、ノイズであるトリガパルスＰが評価値に与える影響との関係を説明するための表である。表の縦列にはリモート照明装置４０と被写体Ｓとの距離が「遠」、「近」で示されていて、表の横行にはリモート照明装置４０の数が「多」、「少」で示されている。
【００２６】
図５によれば、リモート照明装置４０と被写体Ｓとの距離が近く、リモート照明装置４０の台数が多い場合、評価値にトリガパルスＰが与える影響が小さくなることが分かる。この理由は、リモート照明装置４０のモニタ光Ｍの反射光Ｒが大きくなって、評価値の信号成分が大きくなるためである。また、図５によれば、リモート照明装置４０と被写体Ｓとの距離が遠く、リモート照明装置４０の台数が少ない場合、評価値にトリガパルスＰが与える影響が大きくなることが分かる。この理由は、リモート照明装置４０のモニタ光Ｍの反射光Ｒが小さくなって、評価値の信号成分が小さくなるためである。
【００２７】
なお、図５中に示した「遠」、「近」、「多」、「少」は、いずれも相対的なものであり、絶対的な距離や個数を示すものではない。つまり、図５は、トリガパルスＰが評価値に与える影響を低減するためには、リモート照明装置４０と被写体Ｓとの距離が相対的に近いほうが望ましく、リモート照明装置４０の個数が相対的に多い方が望ましいことを示している。
【００２８】
図６（ａ）、（ｂ）は、図５に示した「トリガパルスＰ影響小」、「トリガパルスＰ影響大」のモニタ光Ｍと、トリガパルスＰとについて説明するための図である。図６（ａ）は、「トリガパルスＰ影響小」の状態のモニタ光ＭとトリガパルスＰとを示している。図６（ｂ）は、「トリガパルスＰ影響大」の状態のモニタ光ＭとトリガパルスＰとを示している。
【００２９】
図６（ａ）に示したように、リモート照明装置４０によって発光されたモニタ光Ｍの反射光ＲがトリガパルスＰの反射光に対して十分大きい場合、高いＳ／Ｎ比の評価値を得ることができる。しかし、リモート照明装置４０と被写体Ｓとの距離が遠い場合には、モニタ光Ｍの反射光Ｒが小さくなり、評価値のＳ／Ｎ比が低くなる。さらに、リモート照明装置４０の数が少ない、マスタ照明装置１０２と被写体Ｓとの距離が近いといった条件が加わると、図６（ｂ）に示したように、トリガパルスＰの光量が反射光Ｒよりも大きくなる可能性もある。
【００３０】
以上のことから、本実施形態では、リモート照明装置４０の小発光、大発光に先立って、マスタ照明装置１０２と被写体Ｓとの距離を測定する。距離の測定のためには、マスタ照明装置１０２をモニタ発光させ、マスタ照明装置１０２のモニタ発光（以下、「マスタモニタ発光」と記す）の反射光を測光する。そして、測光された光に基づいて、小発光を使って照明光を決定するか、大発光を使って照明光を決定するかを決定している。
【００３１】
上記構成において、マスタモニタ発光時にカメラ本体に測光される光は、マスタモニタ光の反射光の他、定常光等の他の光を含んでいて、測光された光全体が評価値として出力される。このため、本実施形態では、以下、マスタモニタ発光時に得られる評価値を「マスタモニタ発光の評価値」と記す。
また、小発光時、大発光時にカメラ本体１０１に測光される光には、モニタ光Ｍの反射光Ｒの他、トリガパルスＰや定常光等が含まれている。本実施形態では、以下、小発光時に得られる評価値を「小発光の評価値」と記し、大発光時に得られる評価値を「大発光の評価値」と記す。
【００３２】
このような本実施形態は、マスタモニタ発光の評価値によってマスタ照明装置１０２と被写体Ｓとの位置関係を推定することができる。つまり、マスタモニタ発光の評価値が閾値（「ｔｈ１」とする）よりも大きい場合、マスタ照明装置１０２と被写体Ｓとの距離が相対的に近いと判断できる。マスタ照明装置１０２と被写体Ｓとの距離が近い場合には、マスタ照明装置１０２から発光されるトリガパルスＰの映りこみが大きくなることが推定される。
【００３３】
［カメラ本体の構成］
次に、以上説明した本実施形態の発光制御装置の構成を説明する。
図７は、本実施形態の発光制御装置を含むカメラ本体１０１を説明するためのブロック図である。カメラ本体１０１は、カメラ本体１０１に対して着脱可能なマスタ照明装置１０２を備えたデジタルカメラである。リモート照明装置４０は、カメラ本体１０１とマスタ照明装置１０２を介して通信可能に構成されている。
【００３４】
カメラ本体１０１は、被写体光を結像させる撮像光学系３と、被写体結像をアナログ信号に変換する撮像センサ５と、撮像センサ５の画素選択スイッチのオン、オフを制御する撮像センサ制御部１１と、を備えている。
撮像光学系３は、フォーカスレンズやズームレンズを含む複数のレンズ群と開口絞り等で構成されており、被写体光を撮像センサ５の受光面に結像させる。図７では、撮像光学系３を１枚のレンズで示すものとする。図７中に、撮像光学系３の光軸に符号Ａを付して示す。
撮像センサ５は、撮像光学系３の像空間側に配置され、撮像光学系３によってその受光面に形成された被写体像を光電変換してアナログ画像信号を生成する。本実施形態の撮像センサ５は、ＣＭＯＳイメージセンサである。
【００３５】
また、カメラ本体１０１は、上記した撮像光学系３を駆動する光学系駆動部２３、光学系駆動部２３を制御する光学系制御部１９を備えている。
光学系制御部１９は、撮像光学系３のオートフォーカス（ＡＦ）や絞りを制御するため、光学系駆動部２３を介して撮像光学系３を駆動している。
【００３６】
また、カメラ本体１０１は、撮像センサ５から読み出された電荷（アナログ画像信号）を処理して画像を生成する画像処理部１２と、生成された画像の画像データが蓄積されるメモリ７、メモリカード８と、画像データをメモリ７またはメモリカード８に蓄積させるためのメモリ制御部１３と、を備えている。
画像処理部１２は、撮像センサ５から出力されたアナログ画像信号を増幅し、ホワイトバランス調整、ガンマ補正、輪郭強調、レベル調整等の各種画像処理を行う。メモリ７はカメラ本体１０１に内蔵される内蔵メモリである。メモリカード８は、カメラのユーザによって任意に装着される外付けのメモリである。
【００３７】
また、カメラ本体１０１は、マスタ照明装置１０２を制御するための照明制御部１４を備えている。照明制御部１４は、モニタ発光時、マスタ照明装置１０２に対し、リモート照明装置４０に小発光または大発光をさせるように指示する。マスタ照明装置１０２は、指示にしたがってリモート照明装置４０にトリガパルスＰを送信する。
【００３８】
また、本実施形態のカメラ本体１０１は、ＴＴＬ（Through The Lens）調光演算部１５を備えている。ＴＴＬ調光演算部１５は、撮像センサ５に測光された評価値に基づいて、本発光時のマスタ照明装置１０２、リモート照明装置４０の照明光の光量を調整する。このようなＴＴＬ調光演算部１５によれば、撮像センサ５に実際に測光される光量そのものに基づいて調光を行うことができる。
【００３９】
さらに、カメラ本体１０１は、以上の構成を統括的に制御するシステムコントローラ１０を備えている。システムコントローラ１０は、ＣＰＵ（Central Processing Unit）及び演算処理を実行する際に必要なデータや画像信号等を一時的に記憶する揮発性メモリ等を備えた、いわゆるマイコンと呼ばれる小型のコンピュータである。
システムコントローラ１０は、焦点検出（ＡＦ）や露光決定（ＡＥ）等の各種演算を行う。また、システムコントローラ１０は、撮影時、操作部６の図１に示したレリーズボタン１０３の操作によって撮影が開始されると、光学系制御部１９及び撮像センサ制御部１１を制御して、絞りや感度、シャッタースピード等を設定する。そして、撮像センサ５からのアナログ画像信号の読み出し（撮影）が開始されるように制御する。
【００４０】
［マスタ照明装置の構成］
マスタ照明装置１０２は、照明光を発光する発光部３１と、発光部３１の光量を設定する発光強度設定部３２と、リモート照明装置４０にトリガパルスＰを送信する信号送信部３３と、ユーザによって操作される操作部３４と、を備えている。
【００４１】
発光部３１は、キセノンランプを備えた光源であり、発光強度設定部３２によって光量が多段階に設定可能に構成されている。信号送信部３３は、カメラ本体１０１の照明制御部１４の指示に応じてトリガパルスＰをリモート照明装置４０に送信する。モニタ発光時のトリガパルスＰは、リモート照明装置４０に対して大発光、小発光のいずれかを実行するように指示する信号である。操作部３４には、本発光時にマスタ照明装置１０２が照明光を発光するか否かがユーザによって設定される。
【００４２】
［リモート照明装置の構成］
リモート照明装置４０は、トリガパルスＰを受信する信号受信部４３、受信されたトリガパルスＰに基づいて照明光の発光強度を設定する発光強度設定部４２、発光強度設定部４２によって設定された発光強度の照明光を発光する発光部４１を備えている。
本実施形態では、発光部４１を、発光部３１と同様にキセノンランプとする。モニタ発光にあたり、発光強度設定部４２は、送信されてきたトリガパルスＰにしたがって、発光部４１が小発光または大発光するように設定する。
【００４３】
［発明の特徴部の構成］
次に、以上説明した構成における、本実施形態特有の構成について説明する。
前記したように、本実施形態の発光制御装置は、小発光と大発光とを行うリモート照明装置４０と、トリガパルスＰを発光し、リモート照明装置４０と通信するマスタ照明装置１０２と、によって多灯撮影を行っている。
そして、本実施形態の発光制御装置は、大発光及び小発光に先立って、マスタ照明装置１０２をマスタモニタ発光させる照明制御部１４を備えている。なお、マスタモニタ発光は、本発光時に使用される発光部３１を使って実現することができる。
【００４４】
また、本実施形態の発光制御装置は、照明制御部１４がマスタ照明装置１０２をマスタモニタ発光させると、マスタモニタ発光の評価値に基づいて、小発光の評価値、大発光の評価値のいずれかを選択するシステムコントローラ１０と、選択された小発光の評価値または大発光の評価値を基準にして、カメラ本体１０１が撮影を行う際にリモート照明装置４０によって発光される照明光の光量を調整するＴＴＬ調光演算部１５と、を備えている。
上記構成において、本実施形態では、マスタモニタ発光の評価値が予め設定されている閾値ｔｈ１よりも大きい場合、システムコントローラ１０によって大発光の評価値が選択される可能性を高めている。
【００４５】
大発光の評価値が選択される可能性を高める具体的な方法として、例えば、マスタモニタ発光の評価値が閾値ｔｈ１以下であって、かつ、小発光の評価値が予め設定されている閾値ｔｈ２以下である場合、システムコントローラ１０が、大発光を選択する。また、マスタモニタ発光の評価値が閾値ｔｈ１以下であって、かつ、小発光の評価値が閾値ｔｈ２よりも大きい場合、システムコントローラ１０が、小発光を選択する。
そして、本実施形態では、マスタモニタ発光の評価値が閾値ｔｈ１よりも大きい場合、小発光の評価値によらず、システムコントローラ１０が、大発光を選択する。
【００４６】
このようにすれば、本実施形態は、マスタモニタ発光の評価値の大小によってマスタ照明装置１０２と被写体Ｓとの距離を推定することができる。そして、マスタ照明装置１０２と被写体Ｓとの距離が遠い場合、トリガパルスＰの映り込みが問題にならないとして、小発光のモニタ光Ｍが被写体Ｓに届いていれば、小発光の評価値を使って照明光の大きさを調整する。また、小発光のモニタ光Ｍが被写体Ｓに届いていなければ、大発光の評価値を使って照明光の大きさを調整する。
【００４７】
一方、マスタ照明装置１０２と被写体Ｓとの距離が近い場合、トリガパルスＰの映り込みによって評価値のノイズ成分が大きくなると考えられる。このため、例えば、マスタモニタ光が閾値ｔｈ１より大きい場合、システムコントローラ１０が、小発光のモニタ光Ｍが被写体Ｓに届いていない場合はもちろん、届いている場合であっても大発光の評価値を選択すれば、大発光の評価値が選択される可能性を高めることができる。
【００４８】
このような処理によれば、マスタ照明装置１０２と被写体Ｓとの距離が近い場合、トリガパルスＰの映り込みによるノイズが大きくなるとして、常に大発光が選択される。このため、本実施形態は、評価値のノイズ成分が大きくなると推測される場合には、信号成分を大きくし、評価値のＳ／Ｎ比が低下することを防ぐことができる。
【００４９】
［動作の説明］
図８は、以上説明した発光制御装置を動作させるためのプログラムを説明するためのフローチャートである。図８に示したフローチャートの各処理は、図８に示したシステムコントローラ１０によって行われる。
システムコントローラ１０は、例えば、図１に示したレリーズボタン１０３が押されたことによってカメラ本体１０１のモニタ発光の操作が開始されたと判断する（ステップＳ１１：ＹＥＳ）。なお、レリーズボタン１０３が押されていないと判断されている間、システムコントローラ１０は、操作が開始されるまで待機する（ステップＳ１１：ＮＯ）。
【００５０】
カメラ本体１０１の操作が開始されたと判断されると、照明制御部１４は、マスタ照明装置１０２を制御してマスタモニタ発光を実行する（ステップＳ１２）。マスタモニタ発光の実行後、照明制御部１４は、続いて、小発光を指示するトリガパルスＰをリモート照明装置４０に送信する（ステップＳ１３）。このとき、撮像センサ制御部１１は、マスタモニタ発光の評価値、及び小発光の評価値をシステムコントローラ１０に送る。
【００５１】
システムコントローラ１０は、マスタモニタ発光の評価値を閾値ｔｈ１と比較する（ステップＳ１４）。そして、評価値が閾値ｔｈ１よりも大きい場合（ステップＳ１４：ＮＯ）、照明制御部１４は、小発光の評価値に関わらず、リモート照明装置４０に対して大発光を指示するためのトリガパルスＰを送信する（ステップＳ１６）。
トリガパルスＰの送信により、リモート照明装置４０によって大発光が行われる。このとき、撮像センサ５から大発光の評価値が出力される。評価値は、撮像センサ制御部、システムコントローラ１０を介してＴＴＬ調光演算部１５に送られる。
【００５２】
ＴＴＬ調光演算部１５は、評価値を取得し（ステップＳ１７）、取得された評価値に基づいて本発光時のリモート照明装置４０の発光量を決定する（ステップＳ１８）。そして、決定した発光量を示すトリガパルスＰをリモート照明装置４０に送信する（ステップＳ１９）。リモート照明装置４０は、トリガパルスＰによって示された発光量にしたがって本発光を行う。カメラ本体１０１は、本発光のタイミングに合わせて被写体Ｓを撮像する（ステップＳ２０）。
【００５３】
また、ステップＳ１４において、マスタモニタ発光の評価値が閾値ｔｈ１以下であると判断された場合（ステップＳ１４：ＹＥＳ）、システムコントローラ１０は、小発光の評価値を閾値ｔｈ２と比較する（ステップＳ１５）。評価値が閾値ｔｈ２以下であると判断された場合（ステップＳ１５：ＹＥＳ）、照明制御部１４は、マスタ照明装置１０２からリモート照明装置４０に大発光を行わせるためのトリガパルスＰを送信させる（ステップＳ１６）。
【００５４】
一方、ステップＳ１５において、評価値が閾値ｔｈ２よりも大きいと判断された場合（ステップＳ１５：ＮＯ）、システムコントローラ１０は、小発光の評価値をＴＴＬ調光演算部１５に送る。ＴＴＬ調光演算部１５は、小発光の評価値を取得し（ステップＳ１７）、取得された評価値を基準にして本発光時の発光量を決定する（ステップＳ１８）。
【００５５】
以上、本実施形態によると、以下の効果を有する。
（１）マスタ照明装置１０２がマスタモニタ発光を行うことにより、マスタ照明装置１０２と被写体Ｓとの距離が推定できる。そして、マスタ照明装置１０２と被写体Ｓとの距離によってトリガパルスＰが評価値に及ぼす影響の程度を推定することができる。さらに、トリガパルスＰが評価値に及ぼす影響が大きいと推定される場合、大発光の評価値を使って本発光時の発光量が決定される可能性を高めることができる。このため、トリガパルスＰによって評価値のＳ／Ｎ比が低下する可能性を低減することができる。
以上のことから、本実施形態は、照明光を用いた好適な撮影制御が可能な発光制御装置、発光制御プログラムを提供することができる。
（２）マスタモニタ発光の評価値が閾値ｔｈ１より大きい場合、マスタ照明装置１０２と被写体Ｓとの距離が近く、トリガパルスＰの評価値への影響が大きいと推定することができる。このとき、小発光の評価値によらず、大発光の評価値を使って本発光時の発光量が決定される。このことにより、リモート照明装置４０と被写体Ｓとの距離にのみ応じて本発光時の照明光の光量を決定するよりも、大発光の評価値を用いて照明光が決定される可能性を高くすることができる。
【００５６】
（変形形態）
以上、説明した実施形態に限定されることなく、以下に示すような種々の変形や変更が可能であり、それらも本発明の範囲内である。
（１）先に説明した本実施形態は、マスタモニタ発光の評価値が閾値ｔｈ１よりも大きい場合にだけ小発光の評価値とは無関係に大発光を使って本発光の照明光の光量を決定している。しかし、これに限らず、システムコントローラ１０が、マスタモニタ発光の評価値が閾値ｔｈ１よりも大きい場合、小発光の評価値と比較される閾値ｔｈ２を、閾値ｔｈ２よりも大きい閾値ｔｈ３に変更するようにしてもよい。
【００５７】
つまり、変形形態では、マスタモニタ光の評価値が閾値ｔｈ１以下である場合、小発光の評価値が閾値ｔｈ２以下であれば大発光の評価値が選択される。また、小発光の評価値が閾値ｔｈ２よりも大きい場合には、小発光の評価値が選択される。そして、マスタモニタ光の評価値が閾値ｔｈ１よりも大きい場合、トリガパルスＰの評価値に与える影響が大きいと推定されるから、閾値ｔｈ２を、より大きい閾値ｔｈ３に変更する。そして、小発光の評価値を閾値ｔｈ３と比較する。
【００５８】
比較の結果、小発光の評価値が閾値ｔｈ３以下である場合には、大発光の評価値が選択される。また、小発光の評価値が閾値ｔｈ３よりも大きい場合には、小発光の評価値が選択されるようにする。
以上の構成によれば、マスタ照明装置１０２と被写体Ｓとの距離が相対的に近い場合、相対的に遠い場合よりも、照明光の光量の決定に大発光が選択されやすくなる。
【００５９】
図９は、以上説明した変形形態で行われる、発光制御プログラムを説明するためのフローチャートである。ただし、図９に示したフローチャートのうち、図８に示したフローチャートで説明した機能と同様のものについては同様の符号を付し、その説明を省くものとする。
【００６０】
変形形態では、マスタモニタ光の評価値が閾値ｔｈ１よりも大きい場合（ステップＳ１４：ＮＯ）、小発光の評価値が、閾値ｔｈ２よりも大きい閾値ｔｈ３と比較される（ステップＳ２１）。そして、小発光の評価値が閾値ｔｈ３以下であると判断された場合には（ステップＳ２１：ＹＥＳ）、照明制御部１４が、マスタ照明装置１０２を制御して、トリガパルスＰをリモート照明装置４０に送信させる（ステップＳ１６）。
【００６１】
また、ステップＳ２１において、小発光の評価値が閾値ｔｈ３よりも大きいと判断された場合には（ステップＳ２１：ＮＯ）、システムコントローラ１０が、小発光の評価値をＴＴＬ調光演算部１５に送る。
【００６２】
（１）このようにすれば、トリガパルスＰの映り込みが大きいことが予測される場合であっても、小発光の評価値が十分大きければ、小発光の評価値を使って照明光の光量が決定される。ここで、閾値ｔｈ３を適正に設定することにより、照明光決定の基準となる評価値のＳ／Ｎ比の低下を抑えながら、リモート照明装置４０の近距離にある被写体Ｓに適したモニタ発光を行うことができる。
【００６３】
（２）また、先に説明した本実施形態では、リモート照明装置４０だけがモニタ発光をしている。しかし、これに限らず、本実施形態は、リモート照明装置４０と共にマスタ照明装置１０２がモニタ発光する多灯撮影システムに適用することも可能である。
（３）さらに、先に説明した本実施形態では、マスタ照明装置１０２を外付けの照明装置としている。しかし、これに限らず、マスタ照明装置１０２としてリモート照明装置４０にトリガパルスＰを送信できる照明装置であれば、カメラ本体１０１に内蔵される照明装置をマスタ照明装置１０２として使用することも可能である。
なお、実施形態及び変形形態は、適宜組み合わせて用いることもできるが、詳細な説明は省略する。また、本発明は以上説明した実施形態によって限定されることはない。
【符号の説明】
【００６４】
１：カメラ、５：撮像センサ、１０：システムコントローラ、１１：撮像センサ制御部
１４：照明制御部、１５：ＴＴＬ調光演算部、４０：リモート照明装置、
１０１：カメラ本体、１０２：マスタ照明装置
【図１】
2014232227.tif 000003
【図２】
2014232227.tif 000004
【図３】
2014232227.tif 000005
【図４】
2014232227.tif 000006
【図５】
2014232227.tif 000007
【図６】
2014232227.tif 000008
【図７】
2014232227.tif 000009
【図８】
2014232227.tif 000010
【図９】
2014232227.tif 000011